(57)【要約】      （修正有）【課題】スピーディーに、そして、組立作業の便利性が向上できる組立て式家具を提供する。【解決手段】オスアセンブリ1を嵌合させる第１板Ｐ１とメスアセンブリ２を嵌合させる第２板Ｐ２とを有する家具本体を備える組立て式家具であって、オスアセンブリではオスアセンブリの底面に沿って、同一に組み合わせる方向へ伸びるピンとドッキング部が間隔形成され、メスアセンブリでは前記メスアセンブリの上面に沿って、組み合わせる方向へ伸びる二つの組み合わせ穴が間隔形成され、また、少なくとも一つの組み合わせ穴をドッキング穴とし、ドッキング穴は側面が凹んで溝が形成され、もう一つの組み合わせ穴は定位穴とし、オスアセンブリとメスアセンブリとの係合固定によって第１板と第２板とを組み合わせることによって、組立時間を簡略化できることを特徴とする組立て式家具。【選択図】図２
2017209475.tif 000002
【特許請求の範囲】
【請求項１】
オスアセンブリを嵌合させる第１板とメスアセンブリを嵌合させる第２板とを有する家具本体を備える組立て式家具であって、
前記オスアセンブリでは前記オスアセンブリの底面に沿って、同一に組み合わせる方向へ伸びるピンとドッキング部が間隔形成され、前記ドッキング部はドッキング延長部とフック部とを有し、前記フック部は前記ドッキング延長部のドッキング延長側の表面方向へ突起して形成され、
前記メスアセンブリでは前記メスアセンブリの上面に沿って、前記組み合わせる方向へ伸びる二つの組み合わせ穴が間隔形成され、また、少なくとも一つの組み合わせ穴をドッキング穴とし、前記ドッキング穴は側面が凹んで溝が形成され、もう一つの組み合わせ穴は定位穴とし、
前記ピンと前記ドッキング部との間隔距離および前記定位穴と前記ドッキング穴との間隔距離を設置することによって、前記ピンと前記ドッキング部とを前記定位穴と前記ドッキング穴とにそれぞれ対応させ、
前記ピンが前記組み合わせる方向に沿って前記定位穴に挿入された後、前記ドッキング延長部の前記ドッキング延長側の表面を前記ドッキング穴の内周面に隣接させ、
前記ドッキング部のフック部が前記ドッキング穴の溝に入ることで前記オスアセンブリと前記メスアセンブリとを係合固定させ、
前記オスアセンブリと前記メスアセンブリとの係合固定によって前記第１板と前記第２板とを組み合わすことを特徴とする組立て式家具。
【請求項２】
前記ピンが、その長さが前記ドッキング部の長さより短いことを特徴とする請求項１に記載の組立て式家具。
【請求項３】
前記オスアセンブリが、前記ピンと前記ドッキング部との間で固定穴を有し、前記固定穴にねじを貫通させて前記オスアセンブリを前記第１板に固定させることを特徴とする請求項１に記載の組立て式家具。
【請求項４】
前記メスアセンブリが、前記メスアセンブリの左右側に二つの接続部を有し、前記二つの接続部は貫通穴をそれぞれ有し、前記貫通穴にねじを貫通させて前記メスアセンブリを前記第２板に固定させることを特徴とする請求項１に記載の組立て式家具。
【請求項５】
前記フック部と前記溝とが同じ側に位置することを特徴とする請求項１に記載の組立て式家具。
【請求項６】
前記メスアセンブリが一体形成されたものであることを特徴とする請求項１に記載の組立て式家具。
【請求項７】
前記オスアセンブリが一体形成されたものであることを特徴とする請求項１に記載の組立て式家具。
【請求項８】
前記定位穴が前記メスアセンブリの上表面から下表面までを貫通する穴であることを特徴とする請求項１に記載の組立て式家具。
【請求項９】
前記ドッキング穴が前記メスアセンブリの上表面から下表面までを貫通する穴であることを特徴とする請求項１に記載の組立て式家具。
【請求項１０】
前記ピンがその断面が矩形であることを特徴とする請求項１に記載の組立て式家具。
【発明の詳細な説明】
【技術分野】
【０００１】
本発明は、家具に関し、特に、迅速に組立てられる組立て式家具に関する。
【背景技術】
【０００２】
近年、輸送コストと組立てるコストを削減するため、例えば、机、椅子、棚などの組立て式家具が発達してきている。このような組立て式家具は、利用者が持ち帰って自らＤＩＹで組み立てることができ、手作りの楽しさと達成感を感じさせることによって、利用者を楽しませる。
【０００３】
しかしながら、組立て式家具は、ねじで各パーツを組み立てるため、組立てる時に、ドライバーを事前に用意しなければならない。そのため組立の作業性が悪くなり、また組立てる際にドライバーでそれぞれのねじを別々に回して一つ一つ締める故、従来の組立て式家具は組立てるのに長い時間が必要となる。このため、従来の組立て式家具を改良する必要がある。
【発明の概要】
【発明が解決しようとする課題】
【０００４】
そこで、本発明の目的は、スピーディーに、そして、組立作業の便利性が向上できる組立て式家具を提供することである。
【課題を解決するための手段】
【０００５】
前記の目的を達成するための技術的手段として、本発明はオスアセンブリを嵌合させる第１板とメスアセンブリを嵌合させる第２板とを有する家具本体を備える組立て式家具であって、前記オスアセンブリでは前記オスアセンブリの底面に沿って、同一に組み合わせる方向へ伸びるピンとドッキング部が間隔形成され、前記ドッキング部はドッキング延長部とフック部とを有し、前記フック部は前記ドッキング延長部のドッキング延長側の表面方向へ突起して形成され、前記メスアセンブリでは前記メスアセンブリの上面に沿って、前記組み合わせる方向へ伸びる二つの組み合わせ穴が間隔形成され、また、少なくとも一つの組み合わせ穴をドッキング穴とし、前記ドッキング穴は側面が凹んで溝が形成され、もう一つの組み合わせ穴は定位穴とし、前記ピンと前記ドッキング部との間隔距離および前記定位穴と前記ドッキング穴との間隔距離を設置することによって、前記ピンと前記ドッキング部とを前記定位穴と前記ドッキング穴とにそれぞれ対応させ、前記ピンが前記組み合わせる方向に沿って前記定位穴に挿入された後、前記ドッキング延長部の前記ドッキング延長側の表面を前記ドッキング穴の内周面に隣接させ、前記ドッキング部のフック部が前記ドッキング穴の溝に入ることで前記オスアセンブリと前記メスアセンブリとを係合固定させ、前記オスアセンブリと前記メスアセンブリとの係合固定によって前記第１板と前記第２板とを組み合わせることを特徴とする組立て式家具を提供する。
【０００６】
本発明の一つの実施例では、前記ピンが、その長さが前記ドッキング部の長さより短いことを特徴とする組立て式家具を提供する。
【０００７】
本発明の一つの実施例では、前記オスアセンブリが、前記ピンと前記ドッキング部との間で固定穴を有し、前記固定穴にねじを貫通させて前記オスアセンブリを前記第１板に固定させる組立て式家具を提供する。
【０００８】
本発明の一つの実施例では、前記メスアセンブリが、前記メスアセンブリの左右側に二つの接続部を有し、前記二つの接続部は貫通穴をそれぞれ有し、前記貫通穴にねじを貫通させて前記メスアセンブリを前記第２板に固定させる組立て式家具を提供する。
【０００９】
本発明の一つの実施例では、前記フック部と前記溝とが同じ側に位置することを特徴とする組立て式家具を提供する。
【００１０】
本発明の一つの実施例では、前記メスアセンブリが一体形成されたものである組立て式家具を提供する。
【００１１】
本発明の一つの実施例では、前記オスアセンブリが一体形成されたものである組立て式家具を提供する。
【００１２】
本発明の一つの実施例では、前記定位穴が前記メスアセンブリの上表面から下表面までを貫通する穴である組立て式家具を提供する。
【００１３】
本発明の一つの実施例では、前記ドッキング穴が前記メスアセンブリの上表面から下表面までを貫通する穴である組立て式家具を提供する。
【００１４】
本発明の一つの実施例では、前記ピンがその断面が矩形である組立て式家具を提供する。
【発明の効果】
【００１５】
本発明に用いられている技術手段によって、第１板のオスアセンブリは第２板のメスアセンブリに直接に挿入でき、オスアセンブリとメスアセンブリとの係合固定によって、第１板と第２板とを組み合わせて、ねじを回す時間を大幅に減少させ、ほかの道具に頼らずに組立てられ、組立てに必要な時間を短縮させ、組立作業の便利性が向上させられる。
【図面の簡単な説明】
【００１６】
【図１】本発明による実施例における組立て式家具を示す斜視図である。
【図２】本発明による実施例における組立て式家具を示す概略図である。
【図３】本発明による実施例における組立て式家具の一部の分解斜視図である。
【図４】本発明による実施例における組立て式家具のオスアセンブリとメスアセンブリとを示す斜視図である。
【図５】本発明による実施例における組立て式家具を示す断面図である。
【発明を実施するための形態】
【００１７】
以下、本発明を実施するための形態について、図１〜図５に基づいて説明する。この説明は本発明を限定するものではなく、本発明の一つの実施例にすぎない。
【００１８】
図１に示すように、本発明による実施例における組立て式家具は家具本体１００を備え、家具本体１００は第１板Ｐ１と第２板Ｐ２とを有し、第１板Ｐ１にはオスアセンブリ１が嵌合設置され、第２板Ｐ２にはメスアセンブリ２が嵌合設置される。オスアセンブリ１とメスアセンブリ２とは、それぞれが一体成形ものであるのが好ましい。
【００１９】
図２〜図４に示すように、オスアセンブリ１には、オスアセンブリ１の下面から同じように組み合わせる方向Ｃに沿って伸びるピン１２とドッキング部１３とが間隔を置いて設置される。すなわち、オスアセンブリ１の下面１１にはピン１２とドッキング部１３とが間隔を置いて設置され、そのピン１２とドッキング部１３は同様に組み合わせる方向Ｃに向かって伸びる。本実施例において、ピン１２の長さはドッキング部１３の長さより短い。もちろん、本発明はこれに限定されるものではなくピン１２の長さがドッキング部１３の長さより長くても、あるいは同じ長さでもよい。また、本発明はこれに限定されるものではなく、ピン１２の断面が円形であることもできる。
【００２０】
ドッキング部１３はドッキング延長部１３１とフック部１３２とを有する。フック部１３２はドッキング延長部１３１のドッキング延長側１３３の表面方向へ突起して形成される。詳しく述べると、ドッキング延長側１３３はドッキング部１３の内側に位置し、すなわち、フック部１３２はピン１２の方向に向かって突起し、フック部１３２がドッキング部１３の内側に位置する。もちろん、本発明はこれに限定されず、フック部１３２がピン１２の方向の反対側に向かって突起し、ドッキング延長側１３３がドッキング部１３の外側に位置することもできる。
【００２１】
オスアセンブリ１は、ピン１２とドッキング部１３との間に固定穴１４を有し、ねじ１５（図３に示すように）で貫通されることにより、オスアセンブリ１が第１板Ｐ１に固定されることが好ましい。
【００２２】
図２〜図５に示すように、メスアセンブリ２はメスアセンブリ２の上面２１に沿って、組み合わせる方向Ｃへ伸びる二つの組み合わせ穴２３、２４が間隔を置いて形成され、この二つの組み合わせ穴２３、２４はメスアセンブリ２の上面２１から下面２２まで貫通する貫通穴である。具体的には、組み合わせ穴２３、２４は、ドッキング部１３に挿入されるドッキング穴とし、ピン１２に挿入される定位穴とする。ドッキング穴は、側面が凹んで溝２３１が形成され、その溝２３１とフック部１３２とは同じ側に位置し（図５に示すように）、ドッキング部１３のフック部１３２を挿入することに用いられる。本実施例において、組み合わせ穴２４には溝２３１のサイズと同じ溝２４１が形成され（図５に示すように）、ドッキング部１３のフック部１３２を挿入することにより、オスアセンブリ１のドッキング部１３はメスアセンブリ２の組み合わせ穴２３、２４のいずれかに任意に挿入でき、オスアセンブリ１とメスアセンブリ２との組立方式が多様化できる。
【００２３】
メスアセンブリ２がメスアセンブリ２の左右側に二つの接続部２５、２６を有する（図４に示すように）のが好ましい。二つの接続部２５、２６は貫通穴２５１、２６１をそれぞれ有し、貫通穴２５１、２６１にねじ１５（図３に示すように）を貫通させて、メスアセンブリ２が第２板Ｐ２に固定される。
【００２４】
図１〜図５に示すように、本実施例において、ピン１２とドッキング部１３との間隔距離Ｄ１および定位穴２４とドッキング穴２３との間隔距離Ｄ２を設置することによって、ピン１２とドッキング部１３とを定位穴２４とドッキング穴２３とにそれぞれ対応させる。ピン１２が組み合わせる方向Ｃに沿って定位穴２４に挿入された後、ドッキング延長部１３１のドッキング延長側１３３の表面をドッキング穴２３の内周面２３２に隣接させ、ドッキング部１３のフック部１３２がドッキング穴２３の溝２３１に入ることで、オスアセンブリ１とメスアセンブリ２とを係合固定させ（図５に示すように）、オスアセンブリ１とメスアセンブリ２との係合固定によって第１板Ｐ１と第２板Ｐ２とを組み合わせる。
【００２５】
以上のように、オスアセンブリ１とメスアセンブリ２との係合固定によって第１板Ｐ１と第２板Ｐ２とを組み合わせることによって、利用者は家具本体（図１に示すように）の組立を簡単的に、かつスピーディーに完成させることができる。
【００２６】
上記の説明は本発明の好ましいとされる実施例の説明である。この技術に対し、本発明の特許請求の範囲と上述の説明に基づいて、他の変更もできるが、これらの変更も本発明の創意であるべく、本発明の権利的範囲に包含される。
【符号の説明】
【００２７】
１００          家具本体
１              オスアセンブリ
１１            下面
１３            ドッキング部
１３１          ドッキング延長部
１３２          フック部
１３３          ドッキング延長側
１４            固定穴
１５            ねじ
２              メスアセンブリ
２１            上面
２２            下面
２３，２４      組み合わせ穴
２３１，２４１  溝
２３２          内周面
２５            接続部
２５１          貫通穴
２６            接続部
２６１          貫通穴
Ｃ              組み合わせる方向
Ｄ１            間隔距離
Ｄ２            間隔距離
Ｐ１            第１板
Ｐ２            第２板
【図１】
2017209475.tif 000003
【図２】
2017209475.tif 000004
【図３】
2017209475.tif 000005
【図４】
2017209475.tif 000006
【図５】
2017209475.tif 000007